(57)【要約】      （修正有）【課題】良好な剃毛結果をもたらすことが可能な除毛装置を提供する。【解決手段】除毛装置２は、毛１２．１、１２．２を除去するための剃毛又は切断装置４を有し、剃毛又は切断装置４は、前部作用線を有し、それに沿って毛１２．１、１２．２が剃毛又は切断装置４によって除去される。剃毛又は切断装置４の前部にスペーサー６が、前部作用線とスペーサー６との間に明確な皮膚の起伏１４を生じさせるために位置しており、スペーサー６は、前部作用線から離れて位置している。【選択図】図２
0003198628.tif 000002
【実用新案登録請求の範囲】
【請求項１】
毛（１２）を除去するための剃毛又は切断装置（４、２４）を有し、前記剃毛又は切断装置（４、２４）が、前部作用線（Ｗ）を有し、当該前部作用線（Ｗ）に沿って毛（１２）が前記剃毛又は切断装置（４、２４）によって除去される、除毛装置であって、前記剃毛又は切断装置（４、２４）の前部にスペーサー（６、２６）が、前記前部作用線（Ｗ）と前記スペーサー（６、２６）との間に明確な皮膚の起伏（１４）を生じさせるために位置しており、前記スペーサー（６、２６）は、前記前部作用線（Ｗ）から離れて位置し、前記前部作用線（Ｗ）の領域の皮膚の局部的な面と一致する仮想面である前記除毛装置（２）の使用面（Ａ）に対して、前記スペーサー（６、２６）が、前記前部作用線（Ｗ）から使用面（Ａ）の方向に０．５ｍｍ〜２ｍｍの距離を有し、前記除毛装置（２）の使用面（Ａ）に対して、前記スペーサー（６、２６）が、使用面（Ａ）に対して垂直に、前記前部作用線（Ｗ）から０．５〜１．５ｍｍの距離を有することを特徴とする、除毛装置。
【請求項２】
前記スペーサー（６、２６）が、前記前部作用線（Ｗ）に対して固定された状態で保持されることを特徴とする、請求項１に記載の除毛装置。
【請求項３】
前記スペーサー（６、２６）が、振動を励起する手段を介して取り付けられることを特徴とする、請求項１に記載の除毛装置。
【請求項４】
前記スペーサー（６、２６）が、前記前部作用線（Ｗ）と平行に位置していることを特徴とする、請求項１〜３のいずれか一項に記載の除毛装置。
【請求項５】
前記スペーサー（６、２６）が、０．５〜１．２ｍｍの断面拡大部を有することを特徴とする、請求項１〜４のいずれか一項に記載の除毛装置。
【請求項６】
前記スペーサー（６、２６）が、円形の断面を有することを特徴とする、請求項１〜５のいずれか一項に記載の除毛装置。
【請求項７】
前記スペーサー（６、２６）が、ワイヤー又はワイヤークリップとして形成されることを特徴とする、請求項１〜６のいずれか一項に記載の除毛装置。
【請求項８】
前記スペーサー（６、２６）が、ローラ、ブラシ、又は櫛として形成されることを特徴とする、請求項１〜５のいずれか一項に記載の除毛装置。
【請求項９】
前記スペーサー（６、２６）が、皮膚（１０）に物質を分注するための手段を有することを特徴とする、請求項１〜８のいずれか一項に記載の除毛装置。
【請求項１０】
前記スペーサー（６、２６）の周辺領域が空いており、前記領域は０．５ｍｍ〜２ｍｍの長半軸、及び０．２５〜１．５ｍｍの短半軸を有する少なくとも４分の３の楕円であることを特徴とする、請求項１〜９のいずれか一項に記載の除毛装置。
【請求項１１】
前記剃毛又は切断装置（４、２４）が、調整できるように前記除毛装置（２）に保持されることを特徴とする、請求項１〜１０のいずれか一項に記載の除毛装置。
【請求項１２】
前記剃毛又は切断装置（４、２４）が切断装置（４、２４）であることを特徴とする、請求項１〜１１のいずれか一項に記載の除毛装置。
【請求項１３】
前記剃毛又は切断装置（４、２４）が剃毛装置であることを特徴とする、請求項１〜１１のいずれか一項に記載の除毛装置。
【請求項１４】
前記剃毛又は切断装置（４、２４）が、中央カッター、あごひげ用予備カッター、又はあごひげ用トリマーであることを特徴とする、請求項１〜１１のいずれか一項に記載の除毛装置。
【考案の詳細な説明】
【技術分野】
【０００１】
本考案は、除毛用の剃毛又は切断装置を有する除毛装置に関する。剃毛又は切断装置は、剃毛結果を改善する目的で皮膚を準備するための装置を有する。
【背景技術】
【０００２】
上述の種類の除毛装置は従来技術で公知である。異なる動作原理によって設計された多くの異なる除毛装置がある。
【０００３】
最も広く流通しているのは、通常は剃毛フォイルとして形成された上刃、及び剃毛ヘッドとして形成され剃毛フォイルに対して振動する下刃の、上下刃で作動する電気かみそりである。無精ひげが、剃毛フォイルの開口部を通って剃毛フォイルの下部の空隙の中に入り、そこで下刃によって係合され剃り落とされる。更に、同じ原理で作動するが、回転する下刃を使用する回転式の剃毛システムがある。
【０００４】
非常に多くの場合、剃毛時間及び剃毛結果を改善するために、上述の切断システムを使用する前に、のびすぎたあごひげの毛は、長毛用カッター、即ちいわゆる予備カッターを使用して短くされる。これらの装置は、あごひげ用予備カッター、あごひげ用トリマーなどとも呼ばれる。全身除毛装置、又は女性用かみそりも、概して同じ原理によって作動する。
【０００５】
上述の種類の装置では、例えば、あごひげの毛を持ち上げるために、剃られる皮膚を機械的に準備することにより剃毛結果を改善することができることが知られている。
【０００６】
米国特許第２００１／００２７６０８  Ａ１号から、切断ユニットの前部に位置した皮膚を支持するための縁部を有する剃毛装置が公知である。縁部は、比較的鋭い縁部で終端する広い接触面を有する。
【０００７】
ＷＯ  ２００７／１０５１３８  Ａ２号で開示された装置は、同じ原理によって作動する。
【０００８】
これらのシステムの欠点は、かみそりが皮膚に沿って前進するとき、皮膚の起伏が縁部の手前に形成され、かみそりが前進する際に皮膚に張力が生じて、一方で皮膚を刺激させる可能性があり、他方で毛の根元が皮膚の下層で固定されながら皮膚が毛の先端に向けてふくれ上がる原因となり、毛が皮膚に事実上引き戻されることになり、完全な剃毛に望ましい毛の根元の近くを切断することに不利に働く。かみそりが皮膚にしっかりと圧接されればされるほど、そして、例えば喉又は体の他の領域など、皮膚が柔らかければ柔らかいほど、この作用が増大する。更に、皮膚上の機械的応力により、より大きい皮膚の起伏がかみそりの前に押されて、ますます皮膚が刺激されることが示された。
【０００９】
ＧＢ  ５１９，３６７号から、毛の起こしを引き起こす目的で、更にかみそりが動く方向に対して横方向に配向される皮膚の張力の分配を生じさせる目的で、前部に位置決めされたスロット又は櫛タイプの保護装置を有するかみそりが公知である。かみそりが動く方向では、皮膚保護装置は、皮膚保護装置及び剃毛フォイルを介して、皮膚が弧の形状で引っ張られるように配置されている。切断される毛を起こすことは、動く方向に対して横方向に皮膚の張力の分配を生じさせる要素を介して達成される。
【００１０】
上述のシステムの欠点は、皮膚が特定のゾーンのみで対応して引っ張られ、他のゾーンでは皮膚が押し縮められるので、かみそりの幅全体で均一の剃毛の質が生じないことである。
【００１１】
最後に、ＤＥ  ２５  １３  ７４８号から、曲線状の長方形の剃毛刃及び皮膚を引っ張るための装置を有する乾式かみそりが公知であり、その装置は少なくとも１本のワイヤーを有し、そのワイヤーは曲線状の剃毛刃の前部に、剃毛刃の曲線状の縁部とほぼ平行に、剃毛刃のほぼ中心に位置決めされ、剃毛ヘッドのハウジング内に糸のようにピンと張られて伸ばされる。ワイヤーは、剃毛刃に直接位置することができ、又は距離を置いて位置することができる。
【００１２】
そのような装置の欠点は、かみそりを最も自然な位置、即ち、剃毛刃の中心でほぼ垂直に当てることができないので、かみそりの使用を非常に困難にすることである。更に、より自然な剃毛の動きである引かれる方向ではなく、前に押される方向に動かされたときだけ、かみそりが機能する。
【００１３】
従来技術から公知の装置はすべて、皮膚の起伏が大きければ大きいほど、毛の根元を含む皮膚の下層が一緒に押されることが、皮膚の上層に比べて著しく少ないという、もう一つの欠点がある。一緒に押されると、皮膚の上層が皮膚に小さい折り目、即ち起伏を形成するので、一方で、切断される毛がこれらの起伏の「凹部」に沈み込む可能性があるか、又は起伏が剃られる毛を覆う可能性があるので、毛が通されずにかみそりに係合されない。他方で、これらの起伏の「ピーク」では、皮膚が毛管の上に巻かれるので、毛が更に皮膚内に沈み込み、最大限可能な長さで切断することができない。かみそりを取り除くと、皮膚の起伏はもはや存在せず、毛が再度現れる。これは低品質の剃毛結果をもたらす。
【００１４】
更に、従来技術から公知の装置は比較的突き出ている傾向があり、かみそりを取り扱う難しさ、及び、例えば、あごの上又は鼻の下のような強く湾曲した身体部位での使用の難しさが増大する、という欠点がある。
【００１５】
これを背景にして、本考案は、皮膚を刺激から守ると同時に、より良好な剃毛結果を得ることができるような方法で上述の種類の除毛装置を開発する目的に基づく。そのような装置は、更に、強く湾曲した領域でも有効に使用できるべきである。
【００１６】
この目的は、請求項１に記載の除毛装置によって達成される。有利な実施形態が従属請求項の主題である。
【００１７】
本考案による除毛装置は剃毛又は切断装置を有する。剃毛又は切断装置は、従来技術で開示された設計によって形成されることができる。
【００１８】
剃毛及び切断装置は、特に、のこ引きの動き、若しくは切取りの動きに誘導されることができ、又は回転することもできる。のこ引きの動きの場合には、剃毛システム又は刃は、剃毛及び切断装置が前進する方向に対して実質的に垂直に動き、切取りの動きの場合には、剃毛及び切断装置が前進する方向に実質的に動く。
【００１９】
剃毛又は切断装置は、前部作用線を有し、それに沿って毛が剃毛又は切断装置によって除去される。櫛を有する剃毛又は切断装置の場合には、作用線は櫛の前縁部によって決まる。
【００２０】
多くの装置では、作用線に沿ってだけでなく、例えば、上下刃を有し、上刃が剃毛フォイルとして形成されたかみそり等では、接触面でも、毛が除去される。しかしながら、これらの装置は前部境界線を更に有し、それに沿って、毛が最先時点で除去される。以下で、最先接触線は、前部作用線と呼ばれる。
【考案の概要】
【考案が解決しようとする課題】
【００２１】
したがって、本考案は、表面に沿って毛を除去する除毛装置と共に使用することができる。
【課題を解決するための手段】
【００２２】
下刃が回転する場合は、前部作用線は、剃毛部品の径方向外側端部によって決まる。振動する下刃を利用して作動する剃毛フォイルかみそりの場合には、前部作用線は、剃毛フォイルの頂点の線によって決まる。
【００２３】
２つの剃毛ヘッドを有するかみそりの場合には、剃毛ヘッドの前部作用線は、それぞれの剃毛フォイルの頂点の線によって決まる。
【００２４】
はさみの原理によって作動する長髪用カッター、あごひげ用トリマー等では、前部作用線は、剃毛櫛の前縁部によって決まる。
【００２５】
剃毛又は切断装置は、前部作用線とスペーサーとの間に明確な皮膚の起伏を生じさせるために、前部に位置するスペーサーを有する。スペーサーは、前部作用線から離れて位置している。本考案によるスペーサーによって、スペーサーと剃毛フォイルとの間に明確な皮膚の起伏の形成が可能になる。
【００２６】
明確な皮膚の起伏は、最初に、スペーサーと前部作用線との間の領域で皮膚をわずかにふくれ上がらせる。ふくれ上がりは十分に小さいので、折り目の間に毛が隠れてしまうような、又は毛が皮膚の下層に根元によって保持される間、毛の先端に向かって毛管で曲がってしまうような折り目は生じない。剃毛中にかみそりが皮膚に所要の圧力をかけるため、皮膚の柔らかい上部が皮膚の下層に対して付加的に圧縮され、そのため、毛の根元が皮膚の最上層より標準で３ｍｍ〜４ｍｍ下に位置しているので毛が更に立ち上る。したがって、毛は剃毛又は切断装置によって、特に深い箇所で係合し切断されることができるので、とりわけ良好な剃毛結果をもたらす。明確な皮膚の起伏は、このようにスペーサーの前部に作り出されたより大きな皮膚の起伏の作用を更に補う。
【００２７】
更なる効果は、前部作用線とスペーサーとの間に明確な皮膚の起伏が形成されることによって、より大きい皮膚の張力の発生、及びそれによって生じる皮膚の刺激を防ぐことができることである。除毛装置の使用中に、皮膚はスペーサーを取り囲み、スペーサーと一緒に滑動する。除毛装置が皮膚上を前進するとき、皮膚は前もってわずかに引っ張られるだけなので、明確な皮膚の起伏が形成されることで、皮膚の張力が限られたものになり得る。
【００２８】
更に、前部作用線とスペーサーとの間に明確な皮膚の起伏が生じることにより、皮膚に対する除毛装置の異なるレベルの圧力に対して高い耐性を達成することができる。
【００２９】
除毛装置が櫛を有する場合で、剃毛中に標準圧力が用いられたとして、明確な皮膚の起伏は、櫛の前部の厚みの少なくとも半分、及び厚みのせいぜい２倍に相当する拡大を有する。剃毛ヘッド等の場合には、明確な皮膚の起伏は、約０．３ｍｍ〜２ｍｍ、好ましくは０．６ｍｍ〜１．５ｍｍ、とりわけ好ましくは０．８ｍｍ〜１．２ｍｍ、特に１ｍｍの長さ及び／又は高さを有する。
【００３０】
本考案の第１の有利な実施形態では、スペーサーが前部作用線に対して固定された状態であるように形成されることが提供される。この方法で、スペーサーと前部作用線との間の皮膚の起伏は、特によく画定されることができる。更に、これは、固定スペーサーをとりわけ単純でとりわけ小型に組み立てることを可能にする。
【００３１】
他の実施形態では、スペーサーは、振動を励起する手段を介して取り付けられるので、除毛装置の作動中にスペーサーが前部作用線に対して振動する。この方法で、除毛装置が皮膚に沿ってより良好に滑動し、その上、振動を通して皮膚の上層を振動させ始めるので、皮膚の上層がより強く圧縮され、毛が皮膚から更に突き出るという利点を達成することができる。振動は、特に皮膚の面内で、又はそれに対して垂直に、又は楕円形に、様々な方向に直線状に発生することができる。
【００３２】
スペーサーの位置決めに関して、スペーサーの距離は前部作用線に対して使用面の方向に０．７ｍｍ〜１．５ｍｍ、特に０．８ｍｍ〜１．３ｍｍが有効であることが分かった。
とりわけ好ましくは、前部作用線からスペーサーの距離は０．９ｍｍ〜１．１ｍｍであり、特に、好ましくは１ｍｍである。
【００３３】
使用面は、作用線を通って、即ち、例えば、あごひげ用トリマーの上側又は剃毛フォイルの上側を通って、剃毛又は切断装置に正接する面によって決まる。例えば誘導板の形態で、剃毛又は切断装置に対して置かれた誘導装置が存在する場合には、使用面は誘導装置によって決まる誘導面によって決まる。使用面は、作用線の領域の皮膚の局部的な面と一致する仮想面である。
【００３４】
使用面の方向の距離は、使用面に対して、作用線からスペーサーの封体部の頂点までを測定する。
【００３５】
更に、スペーサーは、前部作用線から０．７ｍｍ〜１．２ｍｍ、好ましくは０．９ｍｍ〜１．１ｍｍ、特に好ましくは１．０ｍｍの距離だけ、記述の使用面に対して垂直に低く、即ち、剃毛又は切断装置の前部作用線より更に皮膚から遠ざけて、設定されることが好ましい。有利な実施形態では、スペーサーは皮膚に対して後部に置くことが好ましい。
【００３６】
上述の２つの有利な実施形態に関して、距離が示された距離より大きい場合は、より大きな皮膚の起伏が生じ、より大きな皮膚の拡張又は皮膚の変形を引き起こし、更に、皮膚の起伏に不十分な湾曲を生じさせるので、切断される毛が皮膚から十分離れて突き出ないことが示された。それにもかかわらず係合されたより長い毛は、次に最大限可能な限り短く切断されることができない。距離がより小さい場合は、起伏が生じないので、本考案の利点が達成されない。スペーサーを使用面に対して垂直に低すぎて、又は高すぎて配置した場合は、剃毛システムと皮膚との間で接触が得られないか、又はスペーサーと皮膚との間で接触が得られないかのどちらかである。
【００３７】
スペーサーが前部作用線と平行に位置している場合、とりわけ均一な剃毛結果が得られる。作用線が曲線状である場合、スペーサーもまた曲線状であると有利であることが分かった。作用線が実質的に直線状である場合、スペーサーもまた直線状であることが好ましい。そのような平行であるスペーサーを用いて、全幅にわたってとりわけ均一の剃毛結果が得られる。
【００３８】
スペーサーは０．５〜１．２ｍｍ、好ましくは０．７ｍｍ〜０．９ｍｍ、特に好ましくは０．８ｍｍの断面拡張を有することが好ましい。そのような断面拡大を有するスペーサーにより、スペーサーが皮膚に沿ってとりわけ快適に摺動する結果となる。そのような断面拡大である場合、皮膚はあまり強く圧縮されず、スペーサーは皮膚に食い込まれない。
具体的には、スペーサーがより薄く作られた場合、そのような不快な食い込む感覚を生じさせる可能性があり、皮膚はより強く刺激を受ける可能性がある。断面がより厚い場合、皮膚がスペーサーの前部の領域で強く圧縮されすぎて、またもや、大きすぎる前進張力が皮膚に生じるので、皮膚に刺激を引き起こす。
【００３９】
使用面の方向に対して垂直である距離は、使用面に対して作用線からスペーサーの頂点までが測定される。即ち、使用面に対して垂直に見た場合、それはスペーサーと作用線との間の最小空間である。
【００４０】
スペーサーが円形の断面を有することが特に好ましい。そのような円形の断面は、特に有効な方法で皮膚の刺激を防ぐことができる。更に、円形の断面を有するスペーサーは皮膚に沿って特に良好に滑動する。
【００４１】
更に、スペーサーが、ワイヤー又はワイヤークリップとして形成されることが好ましい。そのような構成は、とりわけ経済的な方法で実現することができる。
【００４２】
更に、スペーサーはローラ、ブラシ、又は櫛として形成されてもよく、それによって血液循環を促進する皮膚のマッサージ等の追加の有用な機能をスペーサーに組み込むことができる。
【００４３】
更に、スペーサーは、剃毛結果に好ましい影響を与え、皮膚の鎮静化及び消毒につながる可能性があるローション、クリーム等のような物質を皮膚に分注するための手段を好ましくは有することができる。
【００４４】
更に、スペーサーの周辺領域を空いた状態にしておく場合が特に好ましい。この部分は、長半軸が０．５ｍｍ〜２ｍｍ、又は好ましくは１．５ｍｍ、及び短半軸が０．２５〜１．５ｍｍ、又は好ましくは０．７５ｍｍを有する少なくとも４分の３の楕円であることが好ましい。長半軸は使用面の方向に向いていることが好ましい。この方法で、空いた部分のサイズを有する別の皮膚の起伏がスペーサーの前部に形成されることが可能であり、皮膚を前もって引っ張ることに役立つ。
【００４５】
更に、剃毛又は切断装置が調整可能な方法で除毛装置に保持される場合、特にこの剃毛又は切断装置が、剃毛ヘッドかみそりの前刃又は中央刃として形成される場合、除毛装置の融通性を増すことができる。
【００４６】
除毛装置は切断装置として形成されることが特に好ましい。そのような切断装置は、非常によく画定されることができる前部作用線を通常有するので、装置は非常に有効に使用することができる。
【００４７】
あるいは、剃毛又は切断装置が剃毛装置として形成される場合、そのような剃毛装置は主として、乾式又は電気かみそり、並びにクリッパーの原理によって作動する予備カッターに用いられるので、本考案による設計はとりわけ効果的に適用することができる。
【００４８】
除毛装置の別の顕著な実施形態は、中央カッター、あごひげ用予備カッター、又はあごひげ用トリマーとしての設計である。中央カッターは、２つの剃毛ヘッド間に位置している切断装置である。
【００４９】
更に、複数のスペーサーが装置に有利に設けられてもよく、例えば、剃毛ヘッドかみそりでは、頂点の両側に設けられてもよく、二重剃毛ヘッドシステムでは、左右の剃毛ヘッドに設けられる、又は２つのスペーサーがそれぞれ左右の剃毛ヘッドに設けられてもよく、又はあごひげ用トリマーを有する剃毛ヘッドかみそりでは、剃毛ヘッド（単数又は複数）及びあごひげ用トリマーの両方に設けられてもよい。相応して、回転式の剃毛システムについても同じことが当てはまる。
【００５０】
本考案の更なる目標、利点、特徴、及び可能な用途は、図面に基づく例示的な実施形態の以下の説明から得られる。この場合、説明された及び／又は図示された特徴はすべて、単独で、又は任意の合理的な組み合わせで、請求項又は参照で要約されることに関係なく、本考案の主題を表す。
【図面の簡単な説明】
【００５１】
【図１】本考案による毛切断システムのセグメント。
【図２】使用中の図１の本考案による毛切断システム。
【図３】従来技術による毛切断システム。
【図４】本考案による毛切断システムの他の実施形態。
【図５】本考案による毛切断システムの様々な実施形態。
【図６】本考案による毛切断システムの様々な実施形態。
【考案を実施するための形態】
【００５２】
図１は、前部作用線Ｗを有する剃毛及び切断装置４を有する、本考案による毛切断システム２を示す。
【００５３】
前部作用線Ｗから離れて、Δｘ＝１ｍｍだけ使用面Ａの前部に位置し、Δｙ＝１ｍｍだけ使用面Ａに対して低く設定されたスペーサー６が設けられる。Δｘはスペーサー６の中心点に対する。使用面に垂直な距離Δｙは、使用面に対して、作用線からスペーサーの頂点までが測定される。
【００５４】
スペーサーは、直径０．８ｍｍの円形の断面を有する。
【００５５】
図２は、あごひげ毛１２．１及び１２．２を除去する目的で使用者の皮膚表面１０に使用中の、本考案による除毛装置２を示す。
【００５６】
スペーサー６は、皮膚１０に２つの皮膚の起伏１４及び１６を作り出し、皮膚の起伏１４は、スペーサー６と剃毛又は切断装置４との間に生じ、第２の皮膚の起伏１６は、スペーサー６の前部に動きＶの方向に生じる。第１の皮膚の起伏１４は半径およそ１ｍｍであり、あごひげ毛１２．１を起こして皮膚１０内に沈み込ませない結果になる。第２の皮膚の起伏１６に位置している更なるあごひげ毛１２．２は、対照的に、皮膚１０内により深く位置している。
【００５７】
皮膚１０に及ぼす前進張力が、スペーサー６を備えない場合又は著しくより大きい寸法を有するスペーサーを備えた場合よりも著しく小さいので、除毛装置２が前進方向Ｖに前進するとき、スペーサー６のために、皮膚の起伏が大きくふくれ上がる（図３）ことなしに除毛装置２が皮膚１０に沿って滑り、したがって除毛装置のためにとりわけ軽度な皮膚１０の刺激を生じさせる。
【００５８】
図３は、従来技術から公知である、スペーサーを備えない除毛装置１０２を示す。これは著しくより大きな皮膚の起伏１１６を皮膚１１０上に形成することになり、その結果、あごひげ毛１１２が皮膚１１０の表面下に引っ込む。更に、大きな皮膚の起伏１１６により、大きい前進張力が皮膚に及ぼされ、皮膚が過大に伸張する結果となり、したがって皮膚に小さな割れ目を引き起こす可能性があり、それが皮膚の刺激として感知される。
【００５９】
図４は、図１の剃毛及び切断装置４のように形成される、剃毛及び切断装置２４を有する除毛装置２２の他の実施形態を示す。
【００６０】
スペーサー２６は、スペーサー６と同様の寸法で位置しているが、使用面Ａの方向に振動するように、剃毛及び切断装置２４に対して懸下される。
【００６１】
図５及び６は、第１の剃毛ヘッド３２及び第２の剃毛ヘッド３４を有する二重剃毛ヘッドに対する、スペーサー６、並びに剃毛及び切断装置４の様々な可能な構成を示す。
【００６２】
本考案によるシステムは、図５では、中央の毛トリマーとして形成され、図６では、前部に位置したトリマーとして形成される。
【００６３】
スペーサー６は、剃毛又は切断装置４に留めることができるので、剃毛及び切断装置４の置換能力、又は拡張能力、及び格納能力をとりわけ単純な方法で実現することができる。
【００６４】
スペーサー６により予備カッターが使用者の皮膚に食い込むのを防ぎ、スペーサー６により順応性のある予備カッターの位置づけを可能するので、スペーサー６を用いると、長毛用の予備カッターのいっそう順応性のある使用が可能であり、図６に示されるように、剃毛ヘッド３２の前部に位置付けすることが可能である。
【図１】
0003198628.tif 000003
【図２】
0003198628.tif 000004
【図３】
0003198628.tif 000005
【図４】
0003198628.tif 000006
【図５】
0003198628.tif 000007
【図６】
0003198628.tif 000008
【手続補正書】
【提出日】平成27年5月13日(2015.5.13)
【手続補正１】
【補正対象書類名】実用新案登録請求の範囲
【補正対象項目名】全文
【補正方法】変更
【補正の内容】
【実用新案登録請求の範囲】
【請求項１】
毛（１２）を除去するための剃毛又は切断装置（４、２４）を有し、前記剃毛又は切断装置（４、２４）が、前部作用線（Ｗ）を有し、当該前部作用線（Ｗ）に沿って毛（１２）が前記剃毛又は切断装置（４、２４）によって除去される、除毛装置であって、前記剃毛又は切断装置（４、２４）の前部にスペーサー（６、２６）が、前記前部作用線（Ｗ）と前記スペーサー（６、２６）との間に明確な皮膚の起伏（１４）を生じさせるために位置しており、前記スペーサー（６、２６）は、前記前部作用線（Ｗ）から離れて位置し、前記前部作用線（Ｗ）の領域の皮膚の局部的な面と一致する仮想面である前記除毛装置（２）の使用面（Ａ）に対して、前記スペーサー（６、２６）が、前記前部作用線（Ｗ）から使用面（Ａ）の方向に０．５ｍｍ〜２ｍｍの距離を有し、前記除毛装置（２）の使用面（Ａ）に対して、前記スペーサー（６、２６）が、使用面（Ａ）に対して垂直に、前記前部作用線（Ｗ）から０．５〜１．５ｍｍの距離を有することを特徴とする、除毛装置。
【請求項２】
前記スペーサー（６、２６）が、前記前部作用線（Ｗ）に対して固定された状態で保持されることを特徴とする、請求項１に記載の除毛装置。
【請求項３】
前記スペーサー（６、２６）が、振動を励起する手段を介して取り付けられることを特徴とする、請求項１に記載の除毛装置。
【請求項４】
前記スペーサー（６、２６）が、前記前部作用線（Ｗ）と平行に位置していることを特徴とする、請求項１〜３のいずれか一項に記載の除毛装置。
【請求項５】
前記スペーサー（６、２６）が、直径０．５〜１．２ｍｍの円形の断面を有することを特徴とする、請求項１〜４のいずれか一項に記載の除毛装置。
【請求項６】
前記スペーサー（６、２６）が、円形の断面を有することを特徴とする、請求項１〜５のいずれか一項に記載の除毛装置。
【請求項７】
前記スペーサー（６、２６）が、ワイヤー又はワイヤークリップとして形成されることを特徴とする、請求項１〜６のいずれか一項に記載の除毛装置。
【請求項８】
前記スペーサー（６、２６）が、ローラ、ブラシ、又は櫛として形成されることを特徴とする、請求項１〜５のいずれか一項に記載の除毛装置。
【請求項９】
前記スペーサー（６、２６）が、皮膚（１０）に物質を分注するための手段を有することを特徴とする、請求項１〜８のいずれか一項に記載の除毛装置。
【請求項１０】
前記スペーサー（６、２６）の周辺領域が空いており、前記領域は０．５ｍｍ〜２ｍｍの長半軸、及び０．２５〜１．５ｍｍの短半軸を有する少なくとも４分の３の楕円であることを特徴とする、請求項１〜９のいずれか一項に記載の除毛装置。
【請求項１１】
前記剃毛又は切断装置（４、２４）が切断装置（４、２４）であることを特徴とする、請求項１〜１０のいずれか一項に記載の除毛装置。
【請求項１２】
前記剃毛又は切断装置（４、２４）が剃毛装置であることを特徴とする、請求項１〜１０のいずれか一項に記載の除毛装置。
【請求項１３】
前記剃毛又は切断装置（４、２４）が、中央カッター、あごひげ用予備カッター、又はあごひげ用トリマーであることを特徴とする、請求項１〜１０のいずれか一項に記載の除毛装置。